(57)【要約】【課題】湿球黒球温度を自動空調運転の制御パラメータの一つとすることにより、熱中症発症の危険を低減できる空気調和機を提供する。【解決手段】空気調和機１は、温度検出器３５及び湿度検出器３６と、温度検出器３５が測定した室内温度及び湿度検出器３６が測定した室内相対湿度に基づき湿球黒球温度を簡易推定する判定部４３と、湿球黒球温度が警戒レベルに達したと判定部４３が判定したとき、注意信号を発令する注意信号部４４を備える。空気調和機１には注意信号の発令と共に自動空調運転を行う「監視自動空調運転モード」が設定されており、「監視自動空調運転モード」が選択されたとき、空気調和機１の制御部４０は、湿球黒球温度が警戒レベルに達したと判定部４３が判定したことを受けて空気調和機１の自動空調運転を開始する。【選択図】図９
2014066432.tif 000002
【特許請求の範囲】
【請求項１】
温度検出器及び湿度検出器と、
前記温度検出器が測定した室内温度及び前記湿度検出器が測定した室内相対湿度に基づき湿球黒球温度を簡易推定する判定部と、
前記湿球黒球温度が警戒レベルに達したと前記判定部が判定したとき、注意信号を発令する注意信号部を備え、
当該空気調和機には前記注意信号の発令と共に自動空調運転を行う「監視自動空調運転モード」が設定されており、前記「監視自動空調運転モード」が選択されたとき、当該空気調和機の制御部は、前記湿球黒球温度が警戒レベルに達したと前記判定部が判定したことを受けて当該空気調和機の自動空調運転を開始することを特徴とする空気調和機。
【請求項２】
前記「監視自動空調運転モード」の他、前記注意信号が発令されるものの前記自動空調運転は行われない「監視モード」が設定されていることを特徴とする請求項１に記載の空気調和機。
【請求項３】
前記「監視自動空調運転モード」による前記自動空調運転は、前記警戒レベルが低位の間は送風運転であり、前記警戒レベルが高位に引き上げられると冷房運転とされることを特徴とする請求項１または２に記載の空気調和機。
【請求項４】
前記注意信号には注意信号表示が含まれ、前記注意信号表示は前記警戒レベルの変動に伴って表示色が変わることを特徴とする請求項１から３のいずれかに記載の空気調和機。
【請求項５】
前記「監視自動空調運転モード」による前記自動空調運転は使用者の操作で一時停止が可能であることを特徴とする請求項１から４のいずれかに記載の空気調和機。
【発明の詳細な説明】
【技術分野】
【０００１】
本発明は空気調和機に関する。
【背景技術】
【０００２】
高温高湿の環境下では熱中症発症の危険性が高まる。熱中症発症の可能性を論じるにあたり、「湿球黒球温度」（ＷＢＧＴ：Wet Bulb Globe Temperature）という指標が用いられる。湿球黒球温度（ＷＢＧＴ）は人体の熱収支に影響の大きい湿度、輻射熱、及び気温をパラメータとして用いる指標で、その算出方法は次の通りである。
屋外：ＷＢＧＴ（℃）＝０．７×湿球温度＋０．２×黒球温度＋０．１×乾球温度
屋内：ＷＢＧＴ（℃）＝０．７×湿球温度＋０．３×黒球温度
【０００３】
ＷＢＧＴを公衆衛生に役立てようとする試みが従来からなされている。例えば特許文献１には、屋外の一定地域の湿球黒球温度を監視し、熱中症予防に繋がる情報を表示するシステムが記載されている。
【先行技術文献】
【特許文献】
【０００４】
【特許文献１】特開２０１２−３７４９５号公報
【発明の概要】
【発明が解決しようとする課題】
【０００５】
本発明は、湿球黒球温度（ＷＢＧＴ）を自動空調運転の制御パラメータの一つとすることにより、熱中症発症の危険を低減できる空気調和機を提供することを目的とする。
【課題を解決するための手段】
【０００６】
本発明に係る空気調和機は、温度検出器及び湿度検出器と、前記温度検出器が測定した室内温度及び前記湿度検出器が測定した室内相対湿度に基づき湿球黒球温度を簡易推定する判定部と、前記湿球黒球温度が警戒レベルに達したと前記判定部が判定したとき、注意信号を発令する注意信号部を備え、当該空気調和機には前記注意信号の発令と共に自動空調運転を行う「監視自動空調運転モード」が設定されており、前記「監視自動空調運転モード」が選択されたとき、当該空気調和機の制御部は、前記湿球黒球温度が警戒レベルに達したと前記判定部が判定したことを受けて当該空気調和機の自動空調運転を開始することを特徴としている。
【０００７】
この構成によると、湿球黒球温度が警戒レベルに達したとき、空気調和機は自動空調運転を開始するから、熱中症発症の危険性を軽減することができる。湿球黒球温度を簡易推定により得ることとすることにより、湿球黒球温度測定機能を容易に空気調和機に組み込むことができる。
【０００８】
上記構成の空気調和機において、前記「監視自動空調運転モード」の他、前記注意信号が発令されるものの前記自動空調運転は行われない「監視モード」が設定されていることが好ましい。
【０００９】
この構成によると、湿球黒球温度が警戒レベルに達したとき、空気調和機の自動空調運転で対処するか、その他のやり方、例えば扇風機の使用などで対処するかを、使用者が選択することができる。
【００１０】
上記構成の空気調和機において、前記「監視自動空調運転モード」による前記自動空調運転は、前記警戒レベルが低位の間は送風運転であり、前記警戒レベルが高位に引き上げられると冷房運転とされることが好ましい。
【００１１】
この構成によると、まず送風運転を行うことで、使用者に快適感を与えつつ、警戒レベルが高位に移行するのを抑制することができる。そして湿球黒球温度の警戒レベルが低位の間は送風運転でしのぐことで、消費電力を削減することができる。
【００１２】
上記構成の空気調和機において、前記注意信号には注意信号表示が含まれ、前記注意信号表示は前記警戒レベルの変動に伴って表示色が変わることが好ましい。
【００１３】
この構成によると、湿球黒球温度の警戒レベルを一目で見分けることができる。
【００１４】
上記構成の空気調和機において、前記「監視自動空調運転モード」による前記自動空調運転は使用者の操作で一時停止が可能であることが好ましい。
【００１５】
この構成によると、「監視自動空調運転モード」による自動空調運転を一時的に停止すべき理由が生じたときや、使用者が空気調和機の空調運転を不要と感じたときは、使用者の意思で自動空調運転を一時的に停止させることができる。
【００１６】
上記構成の空気調和機において、前記「監視自動空調運転モード」による自動空調運転中に他の空調運転モードを使用者が選択したときは、選択された空調運転モードに移行することが好ましい。
【００１７】
この構成によると、「監視自動空調運転モード」による自動空調運転中であっても、使用者の意思で他の空調運転モードに移行することができる。
【００１８】
上記構成の空気調和機において、前記「監視自動空調運転モード」が選択されているときに使用者の選択により他の空調運転モードに移行した場合、当該他の空調運転モードを終了させることで「監視自動空調運転モード」に復帰することが好ましい。
【００１９】
この構成によると、使用者の意思で他の空調運転モードに移行していても、当該他の空調運転モードを終了させることで「監視自動空調運転モード」に復帰するから、熱中症発症の危険軽減という目的が継続して維持される。
【発明の効果】
【００２０】
本発明によると、湿球黒球温度が警戒レベルに達したとき、空気調和機は自動空調運転を開始するから、使用者は労せずして熱中症発症の危険性を軽減することができる。湿球黒球温度は簡易推定により得るものであるから、湿球黒球温度測定機能を備えた空気調和機を容易に実現できる。
【図面の簡単な説明】
【００２１】
【図１】空気調和機の概略構成図で、冷房運転時の状態を示すものである。
【図２】空気調和機の概略構成図で、暖房運転時の状態を示すものである。
【図３】空気調和機の制御ブロック図である。
【図４】空気調和機のリモートコントローラの正面図である。
【図５】空気調和機のリモートコントローラの、蓋を開いた状態の正面図である。
【図６】空気調和機室内機の表示部の概略構成図である。
【図７】ＷＢＧＴを室内温度と室内相対湿度より簡易推定するための表である。
【図８】ＷＢＧＴに基づく警戒レベルを示す表である。
【図９】ＷＢＧＴに基づく自動空調運転について説明する表である。
【発明を実施するための形態】
【００２２】
＜第１実施形態＞
セパレート型空気調和機１の概略構成を図１に示す。空気調和機１は室外機１０と室内機３０により構成される。
【００２３】
室外機１０は、板金製部品と合成樹脂製部品により構成される筐体１１の内部に、圧縮機１２、切替弁１３、室外側熱交換器１４、膨張弁１５、室外側送風機１６などを収納している。圧縮機１２と膨張弁１５は、空気調和機１の冷凍サイクルに含まれる構成要素の中で主要な役割を果たす。切替弁１３は四方弁である。膨張弁１５には開度制御の可能なものが用いられる。室外側送風機１６はプロペラファンとモータの組み合わせからなる。
【００２４】
室外機１０は２本の冷媒配管１７、１８で室内機３０に接続される。冷媒配管１７は冷房運転時には液体冷媒が流れ、冷媒配管１８に比較して細い管が用いられている。そのため冷媒配管１７は「液管」「細管」などと称されることがある。冷媒配管１８には冷房運転時、気体冷媒が流れ、冷媒配管１７に比較して太い管が用いられている。そのため冷媒配管１８は「ガス管」「太管」などと称されることがある。冷媒には例えばＨＦＣ系のＲ４１０ＡやＲ３２等が用いられる。
【００２５】
室外機１０の内部の冷媒配管で、冷媒配管１７に接続される冷媒配管には二方弁１９が設けられ、冷媒配管１８に接続される冷媒配管には三方弁２０が設けられる。二方弁１９と三方弁２０は、室外機１０から冷媒配管１７、１８が取り外されるときに閉じられ、室外機１０から外部に冷媒が漏れることを防ぐ。室外機１０から、あるいは室内機３０を含めた冷凍サイクル全体から、冷媒を回収する必要があるときは、三方弁２０を通じて回収が行われる。
【００２６】
室内機３０は、合成樹脂製部品により構成される筐体３１の内部に、室内側熱交換器３２、室内側送風機３３などを収納している。室内側熱交換器３２は、３個の熱交換器３２Ａ、３２Ｂ、３２Ｃを、室内側送風機３３を覆う屋根のように組み合わせたものである。室内側送風機３３はモータにクロスフローファンを組み合わせたものである。
【００２７】
空気調和機１の運転制御を行う上で、各所の温度を知ることが不可欠である。この目的のため、室外機１０と室内機３０に温度検出器が配置される。室外機１０においては、室外側熱交換器１４に温度検出器２１が配置され、圧縮機１２の吐出部となる吐出管１２ａに温度検出器２２が配置され、圧縮機１２の吸入部となる吸入管１２ｂに温度検出器２３が配置され、膨張弁１５と二方弁１９の間の冷媒配管に温度検出器２４が配置され、筐体１１の内部の所定箇所に室外温度測定用の温度検出器２５が配置される。室内機３０においては、室内側熱交換器３２に温度検出器３４が配置され、筐体３１の内部の所定箇所に室内温度測定用の温度検出器３５が配置される。温度検出器２１、２２、２３、２４、２５、３４、３５はいずれもサーミスタにより構成される。
【００２８】
室内機３０の筐体３１の内部には室内相対湿度を測定する湿度検出器３６が配置される。室内機３０には室内に吹き出される空気の中にプラスイオンとマイナスイオンを放出するイオン発生装置３７も配置される。室内機３０の空気吹出部には上下方向の風向と左右方向の風向を調整可能な風向調整装置３８（図３参照）が配置されている。室内機３０の内部において、室内側熱交換器３２の上流側には室内側熱交換器３２に流入する空気中の塵埃を捕捉するフィルタ（図示せず）が配置されており、そのフィルタに対してはそれを自動的に清掃するフィルタ清掃装置３９（図３参照）が配置されている。
【００２９】
空気調和機１の全体制御を司るのは図３に示す制御部４０である。制御部４０は室内温度が使用者によって設定された目標値に達するように制御を行う。
【００３０】
制御部４０は圧縮機１２、切替弁１３、膨張弁１５、室外側送風機１６、室内側送風機３３、イオン発生装置３７、風向調整装置３８、及びフィルタ清掃装置３９に対し動作指令を発する。また制御部４０は温度検出器２１〜２５、及び温度検出器３４、３５からそれぞれの検出温度の出力信号を受け取り、湿度検出器３６からそれが検出した相対湿度の出力信号を受け取る。制御部４０は温度検出器２１〜２５、３４、３５、及び湿度検出器３６からの出力信号を参照しつつ、圧縮機１２、室外側送風機１６、及び室内側送風機３３に対し運転指令を発し、切替弁１３と膨張弁１５に対しては状態切り替えの指令を発する。
【００３１】
制御部４０には操作部４１、表示部４２、判定部４３、及び注意信号部４４が付属している。操作部４１は使用者が操作を行うためのものであり、後述するリモートコントローラとして構成されている。表示部４２は各種表示を行うためのものであり、室内機３０の一部に設けられている。判定部４３は温度検出器３５が測定した室内温度及び湿度検出器３６が測定した室内相対湿度に基づき湿球黒球温度（以下「ＷＢＧＴ」の略称を用いる）を簡易推定し、ＷＢＧＴが警戒レベルに達したかどうかを判定する。注意信号部４４は、ＷＢＧＴが警戒レベルに達したと判定部４３が判定したとき、注意信号を発令する。
【００３２】
操作部４１となるリモートコントローラ５０の構成を図４、５に示す。リモートコントローラ５０は手で握れる細長い筐体５１を有する。以下の説明では、図４、５で上になっている側を「上」、下になっている側を「下」、左になっている側を「左」、右になっている側を「右」と方位を割り当てるものとする。なお図４、５に示すリモートコントローラ５０の構成は単なる例示であり、発明を限定するものではない。
【００３３】
筐体５１の表面は、上部が表示部５２、下部が操作部５３と区分されている。表示部５２は形状が上下に長い矩形で、液晶パネルなどの表示要素と、それを覆う保護レンズにより構成される。
【００３４】
操作部５３は、その面積の大部分が蓋５４によって覆われる。蓋５４はヒンジ部５５（図５参照）によって筐体５１に連結され、ヒンジ部５５を支点として開閉する。操作部５３には、蓋５４より上の部分と蓋５４によって覆われる部分の２箇所に、各種操作ボタンやインジケータランプが分散して配置される。以下、どの箇所に何が配置されているかにつき説明する。
【００３５】
蓋５４より上の部分には、表示部５２のすぐ下の箇所に、イオン発生を選択するためのイオン発生選択ボタン５６と、空気調和機１の空調運転を開始するための空調開始ボタン５７が横並びで並ぶ。その下には空気調和機１の空調運転を停止させるための停止ボタン５８が置かれている。
【００３６】
蓋５４によって覆われる部分には、図５に示す通り、計１０個の操作ボタンが配置されている。１０個の操作ボタンは３列に並ぶ。左側の列には３個の操作ボタンが配置され、中央の列には４個の操作ボタンが配置され、右側の列には３個の操作ボタンが配置されている。
【００３７】
中央の列の４個の操作ボタンは、上から順にメニュー選択ボタン５９、上昇ボタン６０、下降ボタン６１、決定ボタン６２となっている。メニュー選択ボタン５９は各種メニューを選択するのに用いる。各種メニューの中には空気調和機１の空調運転モードも含まれる。上昇ボタン６０と下降ボタン６１は、表示部５２に表示された選択肢を選択したり、表示部５２に表示された数値を増減したりするのに用いる。決定ボタン６２は上昇ボタン６０と下降ボタン６１による選択や数値増減を決定するのに用いる。
【００３８】
左側の列の３個の操作ボタンは、上から順に電気代確認ボタン６３、お知らせボタン６４、切タイマーボタン６５となっている。電気代確認ボタン６３は空気調和機１の消費電力料金を確認するのに用いる。お知らせボタン６４は表示部５２に各種お知らせを表示させるのに用いる。切タイマーボタン６５は空気調和機１の空調運転を自動的に停止させる切タイマーを設定するのに用いる。
【００３９】
右側の列の３個の操作ボタンは、上から順に風量調整ボタン６６、上下風向調整ボタン６７、左右風向調整ボタン６８となっている。風量調整ボタン６６は室内側送風機３３の吹出風量を調整するのに用いる。上下風向調整ボタン６７は風向調整装置３８の上下風向を調整するのに用いる。左右風向調整ボタン６８は風向調整装置３８の左右風向を調整するのに用いる。
【００４０】
室内機３０の筐体３１の一部に設けられた表示部４２には、図６に示す通り、各種インジケータランプが横一列で配置されている。それは左から順にイオン発生指示ランプ７０、エコ自動ランプ７１、運転ランプ７２、みはりランプ７３、タイマーランプ７４、及びおそうじランプ７５である。なお図６に示す表示部４２の構成は単なる例示であり、発明を限定するものではない。
【００４１】
イオン発生指示ランプ７０はイオン発生装置３７が動作中であるときに点灯する。エコ自動運転ランプ７１は空気調和機１がエコ自動運転モードで運転中であるときに点灯する。運転ランプ７２は空気調和機１が空調運転中であるときに点灯する。みはりランプ７３はＷＢＧＴを監視しているときに点灯するものであり、注意信号部４４が発令する注意信号の中の注意信号表示となる。タイマーランプ７４はタイマー予約中に点灯する。おそうじランプ７５はフィルタ清掃装置３９が動作中であるときに点灯する。
【００４２】
ランプ７０〜７５の光源はすべて発光ダイオード（ＬＥＤ）である。運転ランプ７２とみはりランプ７３は後で説明する通り表示色が変化するようになっている。
【００４３】
図１は空気調和機１が冷房運転あるいは除霜運転を行っている状態を示す。この時圧縮機１２は冷房時循環、すなわち圧縮機１２から吐出された冷媒が先に室外側熱交換器１４に入る循環様式で冷媒を循環させる。
【００４４】
圧縮機１２から吐出された高温高圧の冷媒は室外側熱交換器１４に入り、そこで室外空気との熱交換が行われる。冷媒は室外空気に対し放熱を行い、凝縮する。凝縮して液状となった冷媒は室外側熱交換器１４から膨張弁１５に入り、そこで減圧される。減圧後の冷媒は室内側熱交換器３２に送られ、膨張して低温低圧となり、室内側熱交換器３２の表面温度を下げる。表面温度の下がった室内側熱交換器３２は室内空気から吸熱し、これにより室内空気は冷やされる。吸熱後、低温の気体状の冷媒は圧縮機１２に戻る。室外側送風機１６によって生成された気流が室外側熱交換器１４からの放熱を促進し、室内側送風機３３によって生成された気流が室内側熱交換器３２の吸熱を促進する。
【００４５】
図２は空気調和機１が暖房運転を行っている状態を示す。この時は切替弁１３が切り替えられて冷房運転時と冷媒の流れが逆になる。圧縮機１２は暖房時循環、すなわち圧縮機１２から吐出された冷媒が先に室内側熱交換器３２に入る循環様式で冷媒を循環させる。
【００４６】
圧縮機１２から吐出された高温高圧の冷媒は室内側熱交換器３２に入り、そこで室内空気との熱交換が行われる。冷媒は室内空気に対し放熱を行い、室内空気は暖められる。放熱し、凝縮して液状となった冷媒は室内側熱交換器３２から膨張弁１５に入り、そこで減圧される。減圧後の冷媒は室外側熱交換器１４に送られ、膨張して低温低圧となり、室外側熱交換器１４の表面温度を下げる。表面温度の下がった室外側熱交換器１４は室外空気から吸熱する。吸熱後、低温の気体状の冷媒は圧縮機１２に戻る。室内側送風機３３によって生成された気流が室内側熱交換器３２からの放熱を促進し、室外側送風機１６によって生成された気流が室外側熱交換器１４による吸熱を促進する。
【００４７】
表示部４２の運転ランプ７２は空気調和機１の空調運転中点灯する。運転ランプ７２の表示色は空調運転モードによって変えるものとする。例えば、冷房運転時には青色、暖房運転時には橙色、除湿運転時には緑色、イオン発生装置３７のみを稼働するときや送風運転時には白色、といった具合に色を割り当てる。なお、このような色の使い分けは単なる例示であり、発明を限定するものではない。
【００４８】
リモートコントローラ５０のイオン発生選択ボタン５６を押すとイオン発生装置３７が動作を開始する。空気調和機１の停止中にイオン発生装置３７を動作させたときは、イオン発生装置３７は自身のファンで室内空気中にイオンを拡散させる。空気調和機１の空調運転中にイオン発生装置３７を動作させたときは、イオン発生装置３７は室内側送風機３３から吹き出される空気の中にイオンを放出する。
【００４９】
イオン発生装置３７は対となる電極を備え、電極間に交流波形またはインパルス波形の高電圧を印加してコロナ放電を行わせることによりイオンを発生させる。
【００５０】
一方の電極には正電圧が印加され、コロナ放電により空気中の水分子が電離して水素イオンが生成される。この水素イオンが溶媒和エネルギーにより空気中の水分子とクラスタリングする。これにより、Ｈ+（Ｈ2Ｏ）ｍ（ｍは０または任意の自然数）から成る空気イオンの正イオンが放出される。
【００５１】
他方の電極には負電圧が印加され、コロナ放電により空気中の酸素分子または水分子が電離して酸素イオンが生成される。この酸素イオンが溶媒和エネルギーにより空気中の水分子とクラスタリングする。これにより、Ｏ2-（Ｈ2Ｏ）ｎ（ｎは任意の自然数）から成る空気イオンの負イオンが放出される。
【００５２】
Ｈ+（Ｈ2Ｏ）ｍ及びＯ2-（Ｈ2Ｏ）ｎは空気中の浮遊菌やにおい成分の表面で凝集してこれらを取り囲む。そして、下記の式（１）〜（３）に示すように、衝突により活性種である［・ＯＨ］（水酸基ラジカル）やＨ2Ｏ2（過酸化水素）を微生物等の表面上で凝集させて浮遊菌やにおい成分を破壊する。ここで、ｍ’、ｎ’は任意の自然数である。従って、正イオン及び負イオンを散布することにより、室内の殺菌及びにおい除去を行うことができる。
【００５３】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００５４】
空気調和機１が動作停止中であるときにリモートコントローラ５０のメニュー選択ボタン５９を押し、上昇ボタン６０、下降ボタン６１、及び決定ボタン６２を操作して「フィルタ清掃」を選択すると、フィルタ清掃装置３９が動作を開始し、室内側熱交換器３２の上流側に配置された図示しないフィルタを清掃する。これにより、室内機３０の熱交換能力を回復させることができる。
【００５５】
空気調和機１には「監視自動空調運転モード」が設定されている。「監視自動空調運転モード」を選択すると、室内のＷＢＧＴを監視しつつ、空気調和機１の自動空調運転が行われる。
【００５６】
室内のＷＢＧＴは、温度検出器３５が測定した室内温度と、湿度検出器３６が測定した室内相対湿度に基づき、求められる。判定部４３は室内温度と室内相対湿度を図７の表にあてはめてＷＢＧＴを簡易推定する。
【００５７】
図７の表では、２１℃から４０℃まで１℃刻みの気温が列を構成し、２０％から１００％まで５％刻みの相対湿度が行を構成している。行列中の「Ａ」「Ｂ」「Ｃ」「Ｄ」の文字はＷＢＧＴの程度を表し、その意味づけは図８の表の通りである。
【００５８】
ＷＢＧＴの値が２５℃未満のときはレベルＡとされる。これは「注意」の位置づけである。ＷＢＧＴの値が２５℃以上２８℃のときはレベルＢとされる。これは「警戒」の位置づけである。ＷＢＧＴの値が２８℃以上３１℃未満のときはレベルＣとされる。これは「厳重警戒」の位置づけである。ＷＢＧＴの値が３１℃以上のときはレベルＤとされる。これは「危険」の位置づけである。レベルＢ以上が熱中症発症に対して警戒を要する警戒レベルということになる。レベルＤは最も高位の警戒レベルである。
【００５９】
制御部４０は、判定部４３が下したＷＢＧＴの判定に基づき、図９の表のように自動空調運転の運転制御を行う。ＷＢＧＴがレベルＡ（注意）の間、空気調和機１は停止している。ＷＢＧＴがレベルＢ（警戒）に達すると空気調和機１は送風運転を開始する。「送風運転」とは圧縮機１２を駆動しないで室内側送風機３３のみ駆動する空調運転モードのことである。このようにまず送風運転を行うことで、使用者に快適感を与えつつ、ＷＢＧＴがレベルＢ（警戒）からレベルＣ（厳重警戒）、さらにはレベルＤ（危険）へと、警戒レベルが高位に移行するのを抑制することができる。
【００６０】
送風運転を行ったにも関わらず、ＷＢＧＴがレベルＣ（厳重警戒）やレベルＤ（危険）に進んだときは、空気調和機１は冷房運転を開始する。冷房運転の設定温度は、例えば２８℃としておくのがよい。
【００６１】
このように、ＷＢＧＴが警戒レベルに達したとき、空気調和機１は自動空調運転を開始するから、熱中症発症の危険性を軽減することができる。ＷＢＧＴは簡易推定により得るものであるから、ＷＢＧＴ測定機能を容易に空気調和機１に組み込むことができる。
【００６２】
図９に示す通り、ＷＢＧＴがレベルＣ（厳重警戒）やレベルＤ（危険）からレベルＢ（警戒）に下がったときは、空気調和機１の空調運転は冷房運転から送風運転に切り替えられる。このように、ＷＢＧＴの警戒レベルが低位のときは送風運転でしのぐことで、消費電力を削減することができる。
【００６３】
ＷＢＧＴがレベルＢ（警戒）から再びレベルＣ（厳重警戒）やレベルＤ（危険）に上がったときは、空気調和機１の空調運転は送風運転から冷房運転に切り替えられる。レベルＢ（警戒）からレベルＡ（注意）に下がったときは空気調和機１の空調運転は停止する。
【００６４】
注意信号部４４は、判定部４３が下したＷＢＧＴの判定に基づき、図９の表のように注意信号を発令する。注意信号としては、表示部４２のみはりランプ７３による注意信号表示と、図示しない発音体から発せられる注意音が用いられる。
【００６５】
みはりランプ７３の表示色は、ＷＢＧＴがレベルＡ（注意）のときは緑色とされ、レベルＢ（警戒）のときは橙色とされ、レベルＣ（厳重警戒）やレベルＤ（危険）のときは赤色とされる。このように表示色が変わることにより、ＷＢＧＴの警戒レベルを一目で見分けることができる。なお、このような色の使い分けは単なる例示であり、発明を限定するものではない。
【００６６】
ＷＢＧＴの値が２５℃未満から２５℃に達したときは注意音が鳴り、使用者に注意を喚起する。ＷＢＧＴの値が２８℃未満から２８℃に達したときも注意音が鳴り、使用者に注意を喚起する。ＷＢＧＴの値が２５℃以上から２５℃未満に下がり、空気調和機１が空調運転を停止したときも注意音が鳴る。このように音でも使用者に注意を喚起することにより、表示部４２から目を離していても注意信号を認識することができる。
【００６７】
レベルＢとレベルＣ／Ｄの間で注意音が鳴るのは、ＷＢＧＴの値が２５℃未満から２５℃に達したときの一度と、２８℃未満から２８℃に達したときの一度だけであり、一旦２８℃に達した後、冷房運転から送風運転に切り替わるとき、あるいはその送風運転から再び冷房運転に切り替わるときには注意音は鳴らない。これは空気調和機１の使用環境をできるだけ静粛なものとするための配慮である。
【００６８】
上記のような注意音の鳴動設定は単なる例示であり、発明を限定するものではない。
【００６９】
本実施形態では室内機３０の筐体３１の一部に表示部４２を設けたが、リモートコントローラ５０の方に表示部４２を設けてもよい。このようにすれば、表示部４２を見るのに高い位置にある室内機３０を見上げなくて済むので、みはりランプ７３による注意信号表示に一層気づきやすくなる。
【００７０】
＜第２実施形態＞
第２実施形態の空気調和機１は、「監視自動空調運転モード」に加えて「監視モード」が設定されている。「監視モード」では、空気調和機１の自動空調運転を伴うことなく、注意信号の発令のみが行われる。
【００７１】
「監視モード」での注意信号部４４の動作は図９の表に示す通りである。すなわち「監視自動空調運転モード」のときの動作と全く同じである。但し空気調和機１はこの時は空調運転を停止している。
【００７２】
第２実施形態の空気調和機１では、ＷＢＧＴが警戒レベルに達したとき、空気調和機１の自動空調運転で対処するか、その他のやり方、例えば扇風機の使用などで対処するかを、使用者が選択することが可能となる。
【００７３】
＜第３実施形態＞
第３実施形態の空気調和機１は、「監視自動空調運転モード」を選択し、それに基づく自動空調運転が行われているとき、使用者の操作で自動空調運転を一時停止させることができるようになっている。
【００７４】
「監視自動空調運転モード」による自動空調運転中にリモートコントローラ５０のボタンに対し所定の操作を行うことにより自動空調運転は一時停止する。一時停止のための専用ボタンを設けておくとよい。一時停止の間、みはりランプ７３は点灯したままである。一時停止中にもう一度リモートコントローラ５０のボタンに対し所定の操作を行うことにより、例えば一時停止専用ボタンをもう一度押すといった操作により、自動空調運転が再開する。
【００７５】
第３実施形態の空気調和機１では、「監視自動空調運転モード」による自動空調運転を一時的に停止すべき理由が生じたときや、使用者が空気調和機１の運転を不要と感じたときは、使用者の意思で自動空調運転を一時的に停止させることができる。空気調和機１の前から長期不在になるなどの理由で空気調和機１を完全に停止させる必要が生じたときは、リモートコントローラ５０の停止ボタン５８で空気調和機１を停止させる。
【００７６】
＜第４実施形態＞
第４実施形態の空気調和機１は、「監視自動空調運転モード」による自動空調運転中に他の空調運転モードを使用者が選択したときは、選択された空調運転モードに移行するようになっている。このため、「監視自動空調運転モード」による自動空調運転中であっても、使用者の意思で他の空調運転モードに移行することができる。
【００７７】
上記のように「監視自動空調運転モード」が選択されているときに使用者の選択により他の空調運転モードに移行した場合、当該他の空調運転モードを終了させることで「監視自動空調運転モード」に復帰する。このため、熱中症発症の危険軽減という目的が継続して維持される。なお他の空調運転モードを終了させて「監視自動空調運転モード」に復帰させるためのボタンは、リモートコントローラ５０の停止ボタン５８であってもよく、他のボタンであってもよい。
【００７８】
以上、本発明の実施形態につき説明したが、本発明の範囲はこれに限定されるものではなく、発明の主旨を逸脱しない範囲で種々の変更を加えて実施することができる。
【産業上の利用可能性】
【００７９】
本発明は空気調和機に広く利用可能である。
【符号の説明】
【００８０】
１    空気調和機
１０  室外機
１２  圧縮機
１４  室外側熱交換器
１５  膨張弁
１６  室外側送風機
３０  室内機
３２  室内側熱交換器
３３  室内側送風機
３５  温度検出器
３６  湿度検出器
４０  制御部
４３  判定部
４４  注意信号部
【図１】
2014066432.tif 000003
【図２】
2014066432.tif 000004
【図３】
2014066432.tif 000005
【図４】
2014066432.tif 000006
【図５】
2014066432.tif 000007
【図６】
2014066432.tif 000008
【図７】
2014066432.tif 000009
【図８】
2014066432.tif 000010
【図９】
2014066432.tif 000011